(57)【要約】【課題】音響システムが発する再生音の特性に合わせて浴室設備の動作状態を変更して、利用者が快適に再生音を聞くことのできる浴室設備制御システムを提供する。【解決手段】利用者Ｈから浴室設備への動作指令を受け付ける指令受付部４２であるマイク４と、スピーカー部６２から浴室内へと再生音が発せられていないとき、指令受付部４２が利用者Ｈから受け付けた動作指令の通りに浴室設備を動作させる第１制御モードで浴室設備の動作状態を制御し、及び、スピーカー部６２から浴室２内へと再生音が発せられるとき、スピーカー部６２から浴室内へ発せられる再生音が、指令受付部４２が動作指令を受け付けた浴室設備の動作音よりも利用者Ｈに聞こえ易くなるように当該浴室設備の動作状態を決定する第２制御モードで浴室設備の動作状態を制御する浴室設備制御部３の動作制御部３１とを備えている。【選択図】図１
2016195718.tif 000002
【特許請求の範囲】
【請求項１】
スピーカー部が設けられている浴室で利用される浴室設備の動作を制御する浴室設備制御システムであって、
利用者から前記浴室設備への動作指令を受け付ける指令受付部と、
前記スピーカー部から前記浴室内へと再生音が発せられていないとき、前記指令受付部が前記利用者から受け付けた前記動作指令の通りに前記浴室設備を動作させる第１制御モードで前記浴室設備の動作状態を制御し、及び、前記スピーカー部から前記浴室内へと前記再生音が発せられるとき、前記スピーカー部から前記浴室内へ発せられる前記再生音が、前記指令受付部が前記動作指令を受け付けた前記浴室設備の動作音よりも前記利用者に聞こえ易くなるように当該浴室設備の動作状態を決定する第２制御モードで前記浴室設備の動作状態を制御する動作制御部とを備える浴室設備制御システム。
【請求項２】
前記動作制御部は、前記第２制御モードにおいて、前記指令受付部が前記動作指令を受け付けた前記浴室設備の前記動作音の主たる周波数範囲が前記再生音の主たる周波数範囲と重なるとき、当該浴室設備を前記動作指令の通りに動作させたときの出力よりも小さい出力で動作させる請求項１に記載の浴室設備制御システム。
【請求項３】
前記動作制御部は、前記再生音のオクターブ分析で求めたオクターブバンドの平均音圧レベルが最大となる周波数範囲の中心周波数の音圧レベルαと、同じ中心周波数での前記浴室設備の動作音の音圧レベルβとを対比し、音圧レベルαが音圧レベルβよりも３ｄＢ以上大きくなるように前記浴室設備の動作を制御する請求項１に記載の浴室設備制御システム。
【発明の詳細な説明】
【技術分野】
【０００１】
スピーカー部が設けられている浴室で利用される浴室設備の動作を制御する浴室設備制御システムに関する。
【背景技術】
【０００２】
浴室内において、音楽プレーヤーやテレビなどの音響端末で音楽を聴いたりテレビを視聴するための音声を聴く場合、例えば浴室に設けられたシャワーなどの浴室設備の動作音が騒音となり、音響端末の音が聞き取りにくくなるとの課題があった。
【０００３】
この課題を解決するために、例えばシャワーの流量などの、浴室設備の動作状態を検知し、予め定めた環境に対応して浴室の音響端の音量を自動的に調整する技術が開示されている（特許文献１）。
【０００４】
また、利用者によって調整された好みの音量とするための方法として、浴室設備の動作状態に合わせた音量調整を行いつつ、入浴中に音量を調整したときにはその調整後の音量を記憶音量としてメモリする技術が開示されている（特許文献２）。
【先行技術文献】
【特許文献】
【０００５】
【特許文献１】特開２０１０−２０６３７２公報
【特許文献２】特開２００８−１９３６０７公報
【発明の概要】
【発明が解決しようとする課題】
【０００６】
しかしこのような方法では、浴室設備の利用状況に応じてユーザの操作なく音響端末の音量の設定変更が可能となるが、騒音そのものは何ら改善するものではなく、浴室設備の動作状況によっては快適に音響システムを利用できない問題があった。
【０００７】
本発明は、上記実情に鑑みてなされたものであり、その目的は、浴室内で音響システムが音を発する際に、音響システムが発する再生音の特性に合わせて浴室設備の動作状態を変更して、利用者が快適に再生音を聞くことのできる浴室設備制御システムを提供することにある。
【課題を解決するための手段】
【０００８】
上記目的を達成するための本発明に係る浴室設備制御システムは、スピーカー部が設けられている浴室で利用される浴室設備の動作を制御する浴室設備制御システムであって、利用者から前記浴室設備への動作指令を受け付ける指令受付部と、前記スピーカー部から前記浴室内へと再生音が発せられていないとき、前記指令受付部が前記利用者から受け付けた前記動作指令の通りに前記浴室設備を動作させる第１制御モードで前記浴室設備の動作状態を制御し、及び、前記スピーカー部から前記浴室内へと前記再生音が発せられるとき、前記スピーカー部から前記浴室内へ発せられる前記再生音が、前記指令受付部が前記動作指令を受け付けた前記浴室設備の動作音よりも前記利用者に聞こえ易くなるように当該浴室設備の動作状態を決定する第２制御モードで前記浴室設備の動作状態を制御する動作制御部とを備えるよう構成される点にある。
【０００９】
本特徴構成によれば、浴室設備制御システムは、指令受付部が、利用者から前記浴室設備への動作指令を受け付けると、スピーカー部から前記浴室内へと再生音が発せられていないときは、指令受付部が利用者から受け付けた動作指令の通りに浴室設備を動作させる第１制御モードで浴室設備の動作状態を制御し、スピーカー部から浴室内へと再生音が発せられるとき、スピーカー部から浴室内へ発せられる再生音が、指令受付部が動作指令を受け付けた浴室設備の動作音よりも利用者に聞こえ易くなるように動作制御部が浴室設備の動作状態を決定する第２制御モードで浴室設備の動作状態を制御するので、スピーカー部から浴室内へ発せられる再生音が浴室設備の動作音よりも利用者に聞こえ易くなり、利用者が快適に再生音を聞くことができる。
【００１０】
本発明に係る浴室設備制御システムの更なる特徴構成は、前記動作制御部は、前記第２制御モードにおいて、前記指令受付部が前記動作指令を受け付けた前記浴室設備の前記動作音の主たる周波数範囲が前記再生音の主たる周波数範囲と重なるとき、当該浴室設備を前記動作指令の通りに動作させたときの出力よりも小さい出力で動作させる点にある。
【００１１】
本特徴構成によれば、動作制御部は、第２制御モードにおいて、指令受付部が動作指令を受け付けた浴室設備の動作音の主たる周波数範囲が再生音の主たる周波数範囲と重なるとき、当該浴室設備を動作指令の通りに動作させたときの出力よりも小さい出力で動作させるので、スピーカー部から浴室内へ発せられる再生音の主たる周波数範囲と重なる浴室設備の動作音が小さくなり、再生音利用者が快適に再生音を聞くことができる。
【００１２】
本発明に係る浴室設備制御システムの更なる特徴構成は、前記再生音のオクターブバンドの平均音圧レベルが最大となる中心周波数のバンドの音圧レベルαと、同じ中心周波数のバンドの前記浴室設備ごとの動作音の音圧レベルβとを対比し、音圧レベルαが音圧レベルβよりも、３ｄＢ以上大きくなるように、前記浴室設備の動作を抑制するよう設定する点にある。
【００１３】
本特徴構成によれば、再生音のオクターブバンドの平均音圧レベルが最大となる中心周波数のバンドの音圧レベルαを、同じ中心周波数のバンドの浴室設備ごとの動作音の音圧レベルβよりも、３ｄＢ以上大きくするので、利用者が快適に再生音を聞くことができる。
【図面の簡単な説明】
【００１４】
【図１】浴室に一体に設けられた音響システムの実施形態を示す図
【図２】浴室設備の動作音と楽曲のオクターブバンドの音圧の一例を示す図
【発明を実施するための形態】
【００１５】
［第一実施形態］
以下、図１に基づいて、本発明の実施形態に係る浴室設備制御システムについて説明する。
【００１６】
本実施形態に係る浴室設備制御システムは、スピーカー部６２が設けられている浴室２で利用される浴室設備の動作を制御する浴室設備制御システムであって、図１に示すように浴室設備制御システム１として浴室２内に浴室２と一体に設けられている。
【００１７】
そしてこの浴室設備制御システム１は、利用者Ｈから浴室設備への動作指令を受け付ける指令受付部４２であるマイク４と、スピーカー部６２から浴室内へと再生音が発せられていないとき、指令受付部４２が利用者Ｈから受け付けた動作指令の通りに浴室設備を動作させる第１制御モードで浴室設備の動作状態を制御し、及び、スピーカー部６２から浴室２内へと再生音が発せられるとき、スピーカー部６２から浴室内へ発せられる再生音が、指令受付部４２が動作指令を受け付けた浴室設備の動作音よりも利用者Ｈに聞こえ易くなるように当該浴室設備の動作状態を決定する第２制御モードで浴室設備の動作状態を制御する浴室設備制御部３の動作制御部３１とを備えている。
【００１８】
さらにこの浴室設備制御システム１は、ある利用者Ｈがいるとき、利用者Ｈの情報である利用者情報を識別する利用者情報識別部４１であるマイク４と、記憶部５に利用者情報を記憶する記憶部５の利用者情報記憶部５１を備えている。そして、利用者情報と浴室環境情報と浴室環境情報に応じて予め定められた設定情報とに基づいて、浴室２の浴室内の浴室設備制御システム１の音響端末６のスピーカー部６２の音量を設定する音量設定部６１を備え、浴室設備への動作指令を受け付け、また利用者による音量の設定の変更を変更値として取得する指令受付部４２であるマイク４を備え、変更値を利用者情報として利用者情報記憶部５１に記憶するよう構成されている。
【００１９】
浴室２は以下のように構成されている。
浴室２内に浴室設備制御システム１の音響端末６のスピーカー部６２が設けられている。
また浴室設備として、浴室２の室外に設置された給湯器２０、および浴室２の浴室内に設けられたエアコン２１と、シャワー２０１と、湯張り栓２０２とを備えている。
給湯器２０は、浴室内に設けられたシャワー２０１と、湯張り栓２０２とに給湯可能であり、そしてそれぞれ独立して給湯速度可変に構成されている。
また浴室２は、浴室設備の動作を制御する動作制御部３１を備えている。
【００２０】
制御部１００は、浴室設備制御部３と、マイク４と、記憶部５と、音響端末６と双方向通信可能な信号線Ｓ３，４，５，６で電気信号的に接続されており、制御部１００は浴室設備制御部３と、マイク４と、記憶部５と、音響端末６とから情報を受け取り、またこれらの動作を制御する。
本例では、浴室設備制御システム１と浴室２とは制御部１００を共有している。つまり、制御部１００は浴室設備制御システム１の制御装置でもあり、浴室２の集中制御装置でもある。
【００２１】
浴室設備制御部３は、浴室設備の動作を制御する動作制御部３１と浴室環境を浴室環境情報として取得する浴室環境情報取得部３２とを有する。本例では、浴室環境情報取得部３２と動作制御部３１は一体に構成されている。
【００２２】
浴室設備制御部３は、給湯器２０およびエアコン２１と双方向通信可能な信号線Ｓ２０，２１で電気信号的に接続されている。そして浴室設備制御部３は、制御部１００と双方向通信可能な信号線Ｓ３で接続されており、指令受付部４２が利用者Ｈから受け付けた動作指令を、制御部１００を経由して受け取り、浴室設備の動作を制御し、また制御部１００に浴室設備の動作状況としての浴室環境情報を送信可能に構成される。
【００２３】
ここで、浴室設備制御部３の内部処理を説明する。
動作制御部３１は、通常、指令受付部４２が利用者Ｈから受け付けた動作指令に従って、第１制御モードで浴室設備の動作状態を制御する。そして、スピーカー部６２から浴室２内へと再生音が発せられるとき、スピーカー部６２から浴室内へ発せられる再生音が、指令受付部４２が動作指令を受け付けた浴室設備の動作音よりも利用者Ｈに聞こえ易くなるように第２制御モードで浴室設備の動作状態を制御する。
また、動作制御部３１は、浴室設備の動作を制御するために、給湯器２０およびエアコン２１から各々の動作状況を取得する。
【００２４】
そして浴室環境情報取得部３２は動作制御部３１を経由して、浴室環境情報として、浴室２の浴室設備の動作状況である給湯器２０および２１の動作状況を取得する。つまり、動作制御部３１は、浴室環境情報を浴室環境情報取得部３２に送信可能に構成されている。
給湯器２０の動作状況としては、シャワー２０１の給湯速度や、湯張り栓２０２の給湯速度が含まれる。エアコン２１の動作状況としては、エアコン２１の回転速度が含まれる。
【００２５】
マイク４は、音を電気信号に変換する装置である。このマイク４は、本例では利用者情報識別部４１であり、同時に指令受付部４２でもある。そしてマイク４は制御部１００と通信可能な信号線Ｓ４で接続されており、制御部１００にマイク４からの入力情報を送信する。
つまりマイク４は、指令受付部４２として利用者Ｈの浴室設備制御システム１に対する動作指示を入力する。
【００２６】
そして、この動作指示を指令受付部４２が入力したとき、同時に、音声によって、利用者Ｈが誰であるのかを識別、つまり利用者情報を識別できる。つまりマイク４は、利用者情報識別部４１としても動作している。
【００２７】
記憶部５は、利用者情報を記憶する利用者情報記憶部５１と、システムの設定情報を記憶するシステム設定記憶部５２と、浴室設備ごとの動作音の特性を動作音特性としてあらかじめ記憶する設備動作音記憶部５３とを備えている。そして制御部１００と双方向通信可能な信号線Ｓ５で接続されており、制御部１００から送信された情報を記憶し、また制御部１００に記憶された情報を送信する。
【００２８】
利用者情報記憶部５１は、あらかじめ利用者が自らの情報を入力可能であり、また、利用者Ｈが入力中に行った浴室設備制御システム１に対して行った操作が記憶される。たとえば、利用者Ｈの浴室設備制御システム１の動作に関する設定の好みが記憶されており、また利用者Ｈが入力中に行った浴室設備制御システム１に対して行った設定の変更が記憶される。
【００２９】
本例では、利用者情報記憶部５１には、利用者Ｈの浴室設備制御システム１の動作に関する設定の好みとして、特に利用者Ｈの浴室環境に対する好みが記憶されている。そして、利用者Ｈが入力中に浴室設備制御システム１の設定、すなわちスピーカー部６２の音量の大小などの設定を操作すると、どのように浴室設備制御システム１が動作しているときに、そしてどのような浴室２の環境の時に、どのように浴室設備制御システム１に動作指示をしたのか、が記憶される。
このようにすることで、利用者Ｈの好みに合わせて設備の動作状況を変更することができるので、利用者Ｈがさらに快適に再生音を聞くことができる。
【００３０】
システム設定記憶部５２には、浴室設備制御システム１の設定情報が記憶される。
本例では、設定情報としては、以下の２点が記憶されている。
まず、浴室設備が動作していない時の標準設定として、所定の音量設定が記憶されている。
そして、スピーカー部６２がどのような音を発するときに、浴室設備の発する動作音をどのように低減するかを定める関係情報が、初期設定として記憶されている。
ここで、初期設定とは、利用者Ｈが特定されない場合や、利用者Ｈの好みが設定されていない時に、浴室設備の発する動作音をどのように低減するかを最初に定める関係情報である。
【００３１】
そしてシステム設定記憶部５２には、スピーカー部６２が発しようとする再生音と第１制御モードでの浴室設備の動作とがどのような関係にあるときに、どのように第２制御モードで浴室設備の動作を抑制して再生音を利用者に聞こえやすくするのかを定める関係情報が記憶されている。
たとえば、スピーカー部６２が発しようとする音が高いとき（音の周波数スペクトルが高いとき）に、第２制御モードでより高い音の（高い音の周波数スペクトルを有する）浴室設備の動作を抑制し、スピーカー部６２が発しようとする再生音より低いとき（音の周波数スペクトルが低いとき）に、第２制御モードでより低い音の（低い音の周波数スペクトルを有する）浴室設備の動作を抑制する、との関係を定めて関係情報を記憶する。
そしてその抑制の程度は、浴室設備としての使用に差支えが無く、かつ、音が聞きやすくなったと利用者Ｈが感じる程度の範囲で定められている。
【００３２】
設備動作音記憶部５３には、浴室２の浴室設備ごとの動作音の特性を動作音特性としてあらかじめ記憶している。すなわち、あらかじめ、浴室設備がどのような動作状態であるときに、どのような動作音を発するのかが記憶されている。そしてこの動作音の特性は、音の周波数スペクトルとして記憶されている。
【００３３】
設備動作音記憶部５３に記憶された動作音特性と、浴室環境情報取得部３２で取得された浴室環境情報の関係について補足する。
例えば浴室環境情報取得部３２で取得された浴室環境情報であるエアコン２１の送風量を例とする。
エアコン２１の送風量が大きいと、エアコン２１の動作音は大きくなる。エアコン２１の送風量が小さいと、エアコン２１の動作音は小さくなる。このように、エアコン２１の送風量が浴室環境情報として取得されるとエアコン２１の動作音が大きい状態にあるのか小さい状態にあるのかがわかる。つまり音量を知ることができる。
一方、設備動作音記憶部５３に記憶されたエアコン２１の動作音特性は、音の周波数スペクトルであるから、エアコン２１の動作音の質をあらわす。たとえば、高音であるとか、低音であるとかの音の高低である。高音と低音との両方を含む場合もある。
つまり、設備動作音記憶部５３に記憶された動作音特性と、浴室環境情報取得部３２で取得された浴室環境情報とによって、浴室設備の動作音が、どのような高低の音であってどのくらいの音量であるのかがわかる。
【００３４】
このようにすることで、浴室環境情報取得部３２が、浴室環境情報として浴室設備の動作状態を取得すれば、浴室２の浴室設備の動作音や周波数スペクトルを都度計測等によって計測しなくとも、把握できるようになる。
【００３５】
本例の設備動作音記憶部５３に記憶される浴室２の浴室設備ごとの動作音特性としては、給湯器２０の動作状態と、シャワー２０１の給湯速度と、湯張り栓２０２の給湯速度と、エアコン２１の送風量と、といった動作状態と、その動作状態に対応するそれぞれの動作音と、その動作音の周波数スペクトルとが記憶されている。
【００３６】
音響端末６は、音量設定部６１とスピーカー部６２と、スピーカー部６２が音を発する際に、音特性として発すべき音の特性をあらかじめ取得する音特性取得部６３とで構成されている。
そして制御部１００と双方向通信可能な信号線Ｓ６で接続されており、制御部１００から送信された制御情報に対応して信号線Ｓ６２で接続されたスピーカー部６２を駆動する。また、スピーカー部６２は、音量設定部６１に設定された音量で駆動される。
【００３７】
音響端末６としてはたとえば浴室２の音声端末（音声で利用者にアラーとを発する端末）、浴室テレビ、ラジオ、音楽ＣＤ再生機、電話、などが例示される。つまり日常生活で利用される、音を発し、また音を再生するような機器全般が利用可能である。また、音には、音楽、音声、アラームや報知や警告音などが含まれる。
音響端末６は、本例では浴室と一体に設けられているが、音響端末６は浴室で利用されるものであればよく、浴室と一体である必要は無い。例えば浴室に持ち込んで使用されるものであってもよい。
【００３８】
本例では、音響端末６は、浴室２の音声端末機能と、浴室テレビと、音楽ＣＤ再生機と、ラジオと、浴室外との電話機能を備えている。そして、音響端末６は、マイク４を通じて、利用者Ｈの音声で動作指示可能な音声入力機能を備えている。
【００３９】
スピーカー部６２は、電気信号を音に変換する装置である。スピーカー部６２は、浴室で使用されるものであり、本例では浴室と一体に設けられている。スピーカー部６２は、利用時に浴室に設けられていればよく、浴室と一体である必要は無い。例えば浴室に持ち込んで、浴室に設けられた状態として使用されるものであってもよい。また、音響端末６と物理的に一体である必要もなく、例えば無線通信によって接続された状態で音響端末６を構成してもよい。
【００４０】
音特性取得部６３は、スピーカー部６２が音を発する際に、音特性として発すべき音の特性をあらかじめ取得する。そしてこの音の特性は、音の周波数スペクトルとして取得される。たとえば、発すべき音が、利用者に対して浴室２の浴室の音声端末機能から発せられるアラートであれば、そのアラートの音の周波数スペクトルであり、発すべき音がコンパクトディスクに記憶された音楽であれば、その音楽の音の周波数スペクトルである。音の特性はたとえば音の周波数スペクトルでハンドリングされる。
【００４１】
音特性取得部６３は、前述のとおりスピーカー部６２が音を発する際に、音特性として発すべき音の特性をあらかじめ取得するのであるが、スピーカー部６２が発する再生音を予測してその音の周波数スペクトルを取得することができる。
【００４２】
たとえば、音響端末６が音楽ＣＤ再生機である場合で、音響端末６が音楽を再生するためにスピーカー部６２が音を発する場合、その再生しようとする音楽は、その音楽一曲の最後までが再生されると予測して、その音楽一曲分の音の周波数スペクトルを音特性取得部６３はあらかじめすべて取得しておくことができる。もちろん、そのＣＤが最後まで再生されると予測して、再生開始点からＣＤの最後までの音の周波数スペクトルを音特性取得部６３はあらかじめすべて取得しておくこともできる。
つまり、一定程度未来に発することが予測される音の周波数スペクトルを取得するのである。
【００４３】
利用者Ｈとしては、複数の利用者Ｈｎが存在する（ｎ＝１以上の整数）。そして、利用者情報記憶部５１には、利用者Ｈｎに対応した情報が記憶される。
本例では、マイク４が利用者情報識別部４１としても機能し、その取得した利用者Ｈの音声で、利用者Ｈｎを識別する。
【００４４】
制御部１００は、利用者情報記憶部５１に記憶される利用者Ｈ１の利用者情報と、設備動作音記憶部５３に記憶される動作音特性と、音特性取得部６３で取得される音特性と、浴室環境情報取得部３２で取得される浴室環境情報と、システム設定記憶部５２に記憶される設定情報とを対比して、その対比結果に応じて浴室設備の動作状態を変更するよう、浴室設備制御部３の動作制御部３１に指示を出す。
【００４５】
上記の、対比結果に応じて浴室設備の動作状態を変更する方法について補足する。本例では対比として以下の動作を行う。
まず、設備動作音記憶部５３に記憶された動作音特性と、浴室環境情報取得部３２で取得された浴室環境情報とによって、第１制御モードでの浴室設備の動作音が、どのような高低の（周波数スペクトルの）音であってどのくらいの音量であるのかを求める。
そして、利用者情報記憶部５１に記憶される利用者Ｈ１の利用者情報と、システム設定記憶部５２に記憶される設定情報とから、浴室設備の動作音が、利用者Ｈ１の好みに合う動作音となる浴室設備の動作状態を第２制御モードとして求める。
そして、浴室設備の動作状態を、利用者Ｈ１の好みに合う動作音となる浴室設備の動作状態に変更する。
【００４６】
以下、本例の浴室設備制御システム１の動作について具体的な一例を説明する。
本例では、浴室設備の発する動作音と、スピーカー部６２がこれから発する再生音とを、それぞれ高音と低音の二段階に区別して取り扱う。
【００４７】
具体的には、浴室設備の発する動作音と、スピーカー部６２がこれから発する再生音の周波数スペクトルを１／１オクターブ分析し、オクターブバンドで把握することとする。そして、中心周波数５００Ｈｚ以下のオクターブバンドの領域を低音（低音域の周波数範囲）、中心周波数１ｋＨｚ以上の領域を高音（高音域の周波数範囲）と定義する。つまり、低音の領域の音圧レベルと、高音の領域の音圧レベルとを比較し、低音の領域の音圧レベルが、高音の領域の音圧レベルよりも高ければ低音と定義し、低音の領域の音圧レベルが、高音の領域の音圧レベルよりも低ければ高音と定義する。
【００４８】
本例の浴室設備制御システム１は、指令受付部４２であるマイク４を経由して、あらかじめ定められた音声で浴室設備制御システム１や浴室２に動作指示を出すことができる。たとえば、「ラジオを聴きたい」とか、「ＣＤを聴きたい」と指示を声で発すると、ラジオを再生し、またＣＤを再生する。また、「聞こえない」と声で指示すると、動作を抑制した浴室設備の動作を動作の抑制前に対してさらに１０％低減するように構成されている。
【００４９】
まず、利用者Ｈが、浴室２で入浴を開始する。このとき、利用者Ｈは、指令受付部４２に対して、シャワー２０１にて、中程度の水量である「水量６」でシャワーを浴びたい旨の音声で動作指令を行い、シャワーを浴びている。これが第１制御モードである。
すると利用者Ｈはシャワーを浴びながら、指令受付部４２であるマイク４を経由して、音楽ＣＤの再生を浴室設備制御システム１に対して声で動作指令する。たとえば、「ＣＤを聴きたい」と指示するのである。
【００５０】
これら動作指令を受ける際に、マイク４は、利用者Ｈの声に対して利用者情報識別部４１としても機能し、制御部１００は、利用者Ｈの声によって利用者Ｈが利用者Ｈ１であると特定する。
【００５１】
すると制御部１００は、利用者情報記憶部５１から、利用者Ｈ１の利用者情報を読み出す。同時に制御部１００は、システム設定記憶部５２から浴室設備制御システム１の初期設定と、設備動作音記憶部５３から浴室設備ごとの動作音の周波数スペクトルを読み出す。また、制御部１００は、浴室環境情報取得部３２から、浴室２の浴室設備の動作状況である給湯器２０およびエアコン２１の動作状況を取得する。
【００５２】
本例では、利用者Ｈ１の利用者情報としては、「標準設定からの変更無し」と記憶されている。
【００５３】
本例では、浴室環境情報取得部３２は、給湯器２０はシャワー２０１に水量が「水量６」（中程度の水量でシャワー）で給湯しており、エアコン２１は送風量が「送風量１０」（送風量設定１〜１０の１０段階の１０）で動作しているとの浴室環境情報を制御部１００へ信号線Ｓ３を経由して送信し、制御部１００はこれを受け取る。
【００５４】
本例では、設備動作音記憶部５３には、シャワー２０１の動作音としては高音と定義される周波数スペクトルが、エアコン２１の動作音の周波数スペクトルとしては低音と定義される周波数スペクトルがあらかじめ記憶されている。
すると制御部１００は浴室環境情報取得部３２で取得した浴室環境情報と、設備動作音記憶部５３から読み出した浴室設備ごとの動作音の周波数スペクトルと対比して、どの設備から、どのような音がどの程度の大きさで出ているのかを把握する。
本例では、シャワー２０１の動作音としては高音の動作音が「水量６」に対応する程度の動作音であると把握し、エアコン２１の動作音としては、低音の動作音が「送風量１０」に対応する動作音であると把握する。
【００５５】
そして制御部１００は、音響端末６にあらかじめ挿入されていたコンパクトディスクから、再生すべき音の周波数スペクトルを音特性取得部６３によって取得する。本例では、音特性取得部６３は、コンパクトディスクに記憶された曲の最初から最後までの周波数スペクトルを、これから再生される可能性がある音であると予測して取得する。
【００５６】
そして本例では、これから再生される可能性がある音は、低い周波数の周波数スペクトル（すなわち低音）であるとの特性を取得した例を示すと、浴室設備制御システム１はさらに以下のように動作する。
【００５７】
システム設定記憶部５２には浴室設備制御システム１の初期設定として、浴室設備の発する動作音をどのように低減するかを定める関係情報が以下のように記憶されている。
スピーカー部６２が発しようとする再生音が高音の時に、高音の浴室設備の動作を抑制し、スピーカー部６２が発しようとする再生音が低音の時に、低音の浴室設備の動作を抑制するとの関係情報が記憶されている。
言い換えると、浴室設備の周波数スペクトルを高音域の周波数範囲と低音域の周波数範囲に分け、同じく再生音の周波数スペクトルを高音域の周波数範囲と低音域の周波数範囲に分け、スピーカー部６２が発しようとする再生音の主たる周波数スペクトルが高音の時に、第２制御モードとして、動作音の主たる周波数スペクトルが高音の浴室設備の動作を抑制し、スピーカー部６２が発しようとする再生音の主たる周波数スペクトルが低音の時に、第２制御モードとして動作音の主たる周波数スペクトルが低音の浴室設備の動作を抑制するとの関係情報が記憶されている。
【００５８】
つまり本例では、スピーカー部６２がこれから発する再生音が低音であれば、低音を発する浴室設備の動作を２０％低減し、これから発する再生音が高音であれば、高音を発する浴室設備の動作を２０％低減し、これから発する再生音が高音と低音の中間音であれば、全ての浴室設備の動作を１０％低減するとの関係情報が数値で定められている。ここで、利用者Ｈ１の利用者情報としては、「標準設定からの変更無し」であるから、利用者Ｈ１にあわせた変更は行わなくてよい。
すると、本例では、これから再生される音は低音であるから、低音を発する浴室設備としてエアコン２１の動作を２０％低減するよう制御部１００は動作指示を動作制御部３１に与え、動作制御部３１は、エアコン２１の送風量を「送風量８」に低減する。
つまり、スピーカー部６２が音を発する際に、浴室設備ごとの動作音の周波数スペクトルとスピーカー部６２が発しようとする再生音の周波数スペクトルとを対比し、発しようとする再生音の周波数スペクトルに近い動作音の周波数スペクトルの設備の動作を優先して抑制するのである。
【００５９】
特に本例では、スピーカー部６２が音を発するに際し、スピーカー部６２が音を発する前に浴室設備の動作状態を第２制御モードに変更しており、音を発した時には浴室設備の動作状態が抑制されており、利用者Ｈが快適に音を聞くことができるように動作している。
【００６０】
その後、利用者Ｈが、「聞こえない」という指示を声で発すると、指令受付部４２がこれを検知し、制御部１００は、動作を抑制したエアコン２１の動作を動作の抑制前に対してさらに１０％低減するように、動作指示を動作制御部３１に与え、動作制御部３１は、エアコン２１の送風量を「送風量７」に低減する。同時に、制御部１００は、利用者情報記憶部５１の利用者Ｈ１の利用者情報を「スピーカー部６２が低音の音を発するときは、標準設定に対して、低音を発する浴室設備の動作をさらに１０％抑制する」と書き換える。
【００６１】
もし、動作を変更する指示が利用者Ｈから無ければ、利用者情報記憶部５１の利用者Ｈ１の利用者情報を書き換えず、維持する。
【００６２】
次回、利用者Ｈ１が再び入浴するときには、この書き換えた利用者情報記憶部５１の利用者情報が利用される。
【００６３】
また、利用者Ｈ２、Ｈ３、・・・Ｈｎに対しても同様の設定や記憶が行われる。つまり、複数の利用者Ｈに対応して個別に設定や記憶が可能である。
【００６４】
操作は同様であるので詳細説明は割愛するが、上記例において、これから再生される可能性がある音が、高い周波数の周波数スペクトル（すなわち高音）であるとの特性を音特性取得部６３が取得した場合には、動作が抑制されるのはシャワー２０１である。
【００６５】
また本例では、湯張り栓２０２が動作している例は割愛したが、湯張り栓２０２の動作音にあわせて、上記同様の制御が可能であることは言うまでもない。
【００６６】
本例では、音響端末６の音楽ＣＤ再生機能についてのみその例を示したが、音響端末６が、浴室２の浴室制御システムの音声端末機能や、ラジオや、浴室外との電話機能として動作するときも、それぞれの機能に対応したカスタマイズが必要であるが、上記同様の概念で制御が可能である。
【００６７】
浴室設備について補足する。
上記例では、浴室設備として、浴室２の室外に設置された給湯器２０、および浴室内に設けられたエアコン２１と、シャワー２０１と、湯張り栓２０２を例示して説明したが、浴室設備としてはこれらに限定されない。
たとえば、その他の浴室設備として、浴室換気設備、浴室暖房乾燥機、ミストサウナ、ジェットバス、噴水、オブジェとしての滝などが例示できる。また、ユニットバスの場合には、トイレ設備も浴室設備含める。
【００６８】
動作音特性について補足する。
動作音特性は、浴室２に浴室設備を設置する際などに、あらかじめ取得しておくことができる。この取得は、騒音計のような計測器で取得してもよいし、本例ではマイク４で取得することもできる。
【００６９】
動作音特性について補足する。
動作音特性は、あらかじめ、浴室設備がどのような動作モードであるときに、どのような動作音を発するのかを記憶してもよい。動作モードとは、例えば、エアコンの「静音モード」であるとか、「強運転モード」や「弱運転モード」を例示できる。
【００７０】
以上のようにして本実施形態の音響システムはスピーカー部６２の音量を、利用者Ｈの希望に近しい音量に調整している。
【００７１】
［第二実施形態］
第一実施形態では、浴室設備の発する動作音と、スピーカー部６２がこれから発する再生音とを、それぞれ高音と低音の二段階に区別して取り扱い、システム設定記憶部５２にはスピーカー部６２が発しようとする再生音が高音の時に、高音の浴室設備の動作を抑制し、スピーカー部６２が発しようとする再生音が低音の時に、低音の浴室設備の動作を抑制するとの関係情報が記憶されている例を示した。
以下では浴室設備の発する動作音と、スピーカー部６２がこれから発する再生音とをそれぞれ、１/１オクターブ分析した音のオクターブバンド単位の平均音圧レベルで把握して取り扱い、システム設定記憶部５２にはスピーカー部６２が発しようとする再生音の、ピークのオクターブバンド（最大となるオクターブバンド）の音圧が、浴室設備の動作音の、おなじオクターブバンドの音圧よりも大きくなるように浴室設備の動作を抑制する例を示す。その他の構成は第一実施形態と同じである。
【００７２】
本例では、浴室設備としては、「弱運転」モードと「強運転」モードとの２つの動作モードを有するエアコン２１を使用する例を説明する。つまり、浴室環境情報取得部３２は、エアコン２１が、停止しているのか、「弱運転」モードで動いているのか、「強運転」モードで動いているのかを認識可能に構成されている。
そして本例では、利用者Ｈは既に、指令受付部４２に対して、エアコン２１を、「強運転」で動作させたい旨の動作指令を行い、エアコン２１を「強運転」で動作させているとして以下説明する。つまり、エアコン２１が「強運転」で動いている状態が、第１制御モードである。
【００７３】
設備動作音記憶部５３には、エアコン２１の動作音の周波数スペクトルとして、エアコンの「弱運転」モードと「強運転」モードとについて、図２に示すような１/１オクターブバンドで表される音圧の周波数スペクトルがあらかじめ記憶されている。なお、図２の「停止時」は浴室の暗騒音である。
【００７４】
利用者Ｈが「ＣＤを聴きたい」と指示すると、音特性取得部６３は音響端末６にあらかじめ挿入されていたコンパクトディスクの楽曲データを読み取り当該コンパクトディスクの楽曲の全曲が、これから再生される可能性がある音であると予測すると共に、音特性取得部６３は制御部１００を経由してインターネット上のデータベースを参照し、当該楽曲の音の周波数スペクトルを音特性として取得する。そして、当該楽曲が浴室２で標準設定で再生された場合の音の平均音圧レベルを演算して求める。
本例での当該楽曲の音のバンドごとの平均音圧レベルを図２の「楽曲」に示す。
【００７５】
制御部１００は、設備動作音記憶部５３に記憶される動作音特性と、浴室環境情報取得部３２で取得される浴室環境情報と、音特性取得部６３で取得される音特性とを、バンドごとの音圧で対比して、さらに利用者情報記憶部５１に記憶される利用者Ｈ１の利用者情報と、システム設定記憶部５２に記憶される設定情報とを対比して、その対比結果に応じて浴室設備の動作状態を第２制御モードへ変更するよう、浴室設備制御部３の動作制御部３１に指示を出す。
その他の動作は第一実施形態と同じである。
【００７６】
ここで、バンドごとに対比する方法について一例を補足する。
音特性取得部６３で取得される音特性のオクターブバンドは、予測して取得した音特性の平均音圧レベルとして求める。そして、音特性のオクターブバンドの平均音圧レベルが最大となる中心周波数Ｘのバンドの音圧レベルαと、同じ中心周波数Ｘの、設備動作音記憶部５３に記憶される動作音特性と浴室環境情報取得部３２で取得される浴室環境情報から求められる浴室設備の動作音の音圧レベルβとを対比する。
【００７７】
このとき、システム設定記憶部５２に記憶される設定情報としてはたとえば音圧レベルαが音圧レベルβよりも、３ｄＢ以上大きくなるように、浴室設備であるエアコン２１の動作を抑制するよう設定する、との設定が定められている。図２の例では、２５０Ｈｚの音圧レベルが「強運転」の騒音の音圧レベルとの差が３ｄＢ未満のため、エアコン２１は、「弱運転」に変更される。
【００７８】
上記例では音特性のオクターブバンドの平均音圧レベルが最大となる中心周波数Ｘのバンドの音圧レベルαを中心周波数Ｘの浴室設備の動作音のバンドの音圧レベルβとを対比したが、音特性のオクターブバンドの平均音圧レベルが最大から三番目までの中心周波数Ｘ１、Ｘ２，Ｘ３のバンドの音圧レベルα１,α２,α３と浴室設備の動作音の中心周波数Ｘ１，Ｘ２，Ｘ３のバンドの音圧レベルβ１,β２,β３と対比してもよい。
この場合、音圧レベルα１,α２,α３のそれぞれが、音圧レベルα１,α２,α３に対応する浴室設備の動作音のバンドの音圧レベルβ１,β２,β３よりもたとえば３ｄＢ以上大きくなるように浴室設備であるエアコン２１の動作を抑制することができる。図２の例では、６３，１２５，２５０Ｈｚの音圧レベルが「強運転」の騒音の音圧レベルとの差が３ｄＢ未満のため、エアコン２１は、「弱運転」に変更される。
［別実施形態］
【００７９】
（１）上記実施形態では、利用者情報識別部４１をマイク４とする構成としたが、利用者情報識別部４１は、タッチパネルでタッチ入力する構成とすることもできる。その他、顔認証や静脈認証でもいいし、指紋や掌紋でもよい。また、体重計での体重によって識別する構成としてもよい。さらには、利用者Ｈが浴室２の脱衣所に持ち込んだスマートフォンなどの携帯端末によって利用者Ｈを識別してもよい。
つまり利用者Ｈが誰であるかを特定できる方法であればよい。
【００８０】
このように構成することで、利用者Ｈの希望に応じた浴室環境とすることができる浴室設備制御システムとすることができる。
【００８１】
（２）上記実施形態では、指令受付部４２をマイク４とする構成としたが、指令受付部４２はタッチパネルやボタン、その他一般に用いられる設定方法や設定手段のいずれを用いてもよい。
【００８２】
（３）上記実施形態では、音響システムは、図１に示すように浴室設備制御システム１として浴室２内にとして浴室２と一体に設ける構成としたが、浴室設備制御システム１と浴室２は設備としては分離して構成することもできる。浴室設備制御システム１と浴室２は動作として連携／連動して動作できればよい。
【００８３】
たとえば、浴室設備制御システム１が音楽再生機能を有するスマートフォンであってもよい。つまり、スマートフォンを浴室内に持ち込み、浴室に設けられた状態として使用するのである。この場合、スマートフォンである浴室設備制御システム１は音響端末６でもあり、制御部１００と、浴室環境情報取得部３２と、マイク４と、記憶部５と、音量設定部６１とスピーカー部６２とで構成されている。
【００８４】
そして浴室２には、動作制御部３１を備え、浴室設備の動作状況を送信可能に構成する。
【００８５】
このように浴室設備制御システム１と浴室２は分離して構成するとき、浴室設備制御システム１の浴室環境情報取得部３２と、浴室２の動作制御部３１は連携して動作し、実質的に一つの浴室設備制御部３として機能する。浴室環境情報取得部３２と、浴室２の動作制御部３１とは、例えば無線通信によって接続することができる。この無線通信としては、例えば赤外線や、２．４ＧＨｚ帯の電波などが使用できる。
【００８６】
このように構成することで、様々な音響装置を浴室設備制御システム１として利用できる。また、スマートフォンのような個人の携帯端末を浴室設備制御システム１とすることで、個人の音の好みを携帯端末に確実に保存することができ、また浴室設備制御システム１の利用時に、個人の好みを確実に反映することができる。
【００８７】
（４）上記実施形態では、関係情報が設定情報として数値で記憶されている構成を示したが、あくまで例示であり、関係情報は数値である必要はない。たとえば、利用者情報記憶部５１に記憶される利用者Ｈ１の利用者情報と、設備動作音記憶部５３に記憶される動作音特性と、音特性取得部６３で取得される音特性と、浴室環境情報取得部３２で取得される浴室環境情報と、システム設定記憶部５２に記憶される設定情報とに対応する関数Ｆとして記憶されていてもよい。
【００８８】
（５）上記実施形態では、音響端末６が音楽ＣＤ再生機である場合であって、スピーカー部６２が音楽の再生するために音を発する場合、その再生しようとする音楽の音の周波数スペクトルを音特性取得部６３はあらかじめすべて取得しておくことができる例を示したが、たとえば音響端末６がテレビである場合、別途オンライン情報として提供されるテレビ番組表データから予測して取得することもできる。たとえば、音楽番組でるか、ニュース番組であるかによって、発する再生音の周波数スペクトルを予測するのである。
【００８９】
（６）上記実施形態では利用者情報を用いる例を示したが、利用者情報は必ずしも用いる必要は無い。利用者情報を用いない場合は、標準設定をそのまま用いればよい。
【００９０】
（７）上記実施形態では利用者情報記憶部５１には、利用者Ｈの浴室環境に対する好みが記憶されている例を示したが、さらに、利用者Ｈの音量に対する好みや、音質に対する好みを記憶してもよい。
【００９１】
このように構成することで、スピーカー部６２が発しようとする再生音大きさや音質を利用者にあわせて変更することができるので、利用者Ｈがより快適に浴室２のスピーカー部６２の発する再生音を聞くことができる。
【００９２】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９３】
本発明は、浴室で用いられる浴室設備制御システムとして用いることができる。
【符号の説明】
【００９４】
１        浴室設備制御システム
２        浴室
２０      給湯器（浴室設備）
２０１    シャワー（浴室設備）
２０２    湯張り栓（浴室設備）
２１      エアコン（浴室設備）
３１      動作制御部
４２      指令受付部
６２      スピーカー部
Ｈ        利用者
【図１】
2016195718.tif 000003
【図２】
2016195718.tif 000004